(57)【要約】【課題】画像のみならず音声も記録できる写真音声カード生成装置及びこの写真音声カード生成装置によって生成された写真音声カードを提供する。【解決手段】画像を撮像する撮像装置と、撮像装置が撮像した撮像画像をカードに画像形成するプリント処理部と、音声を集音するマイクと、マイクが集音した音声を無線タグに書き込む音声処理部と、を備える、写真音声カード生成装置を提供する。また、写真を貼付する写真貼付部と、無線タグと、無線タグに電力を供給する電源供給装置と、無線タグが再生した音声を生成するスピーカと、を備え、上記写真音声カード生成装置によって生成された写真音声カードを提供する。【選択図】図１
2009049615.tif 000002
【特許請求の範囲】
【請求項１】
画像を撮像する撮像装置と、
前記撮像装置が撮像した撮像画像を印字記録媒体に画像形成するプリント処理部と、
音声を集音するマイクと、
前記マイクが集音した音声を無線タグに書き込む音声処理部と、
を備える、写真音声カード生成装置。
【請求項２】
前記プリント処理部が、
前記撮像画像を前記撮像画像ごとに編集する画像編集部と、
編集された前記撮像画像を格納する画像一時記憶装置と、
前記画像一時記憶装置から格納された前記撮像画像を読み出し、印字レイアウトを編集するレイアウト編集部と、
印字レイアウトを編集された前記撮像画像を印字記録媒体に画像形成する画像プリンタと、
を備えることを特徴とする、請求項１記載の写真音声カード生成装置。
【請求項３】
前記音声処理部が、
前記マイクが集音した音声をＡＤ変換するＡＤ変換部と、
前記音声がＡＤ変換された音声データを格納する音声一時記憶装置と、
格納された前記音声データを前記音声一時記憶装置から読みだして無線タグに書き込む無線タグリーダライタと、
を備えることを特徴とする請求項１記載の写真音声カード生成装置。
【請求項４】
写真を貼付する写真貼付部と、
無線タグと、
前記無線タグに電力を供給する電源供給装置と、
前記無線タグが再生した音声を生成するスピーカと、を備え、
前記請求項１乃至３のいずれか１項に記載の写真音声カード生成装置によって生成された写真音声カード。
【発明の詳細な説明】
【技術分野】
【０００１】
本発明は、写真を撮影し、音声を録音し、撮影した写真を印字し、録音した音声を無線タグに書き込む、写真音声カード生成装置及びこの写真音声カード生成装置によって生成された写真音声カードに関する。
【背景技術】
【０００２】
写真を撮影し、この写真を編集して粘着シールに画像形成する装置が実用化されている（例えば、特許文献１）。
【０００３】
しかし、特許文献１に記載のシステムによっては、画像だけしか記録することができず、音声を記録する手段はなく、写真と音声を記録してより思い出深い記録を残したいという需要者の要求に応えられないという問題点があった。
【特許文献１】特開２００５−２０５７８９号公報
【発明の開示】
【発明が解決しようとする課題】
【０００４】
本発明は上記のような問題点に鑑みてなされたものであり、画像のみならず音声も記録できる写真音声カード生成装置及びこの写真音声カード生成装置によって生成された写真音声カードを提供することを目的とする。
【課題を解決するための手段】
【０００５】
この目的を達成するために、本発明は、画像を撮像する撮像装置と、撮像装置が撮像した撮像画像を印字記録媒体に画像形成するプリント処理部と、音声を集音するマイクと、マイクが集音した音声を無線タグに書き込む音声処理部と、を備える、写真音声カード生成装置を提供する。
また、本発明は、写真を貼付する写真貼付部と、無線タグと、無線タグに電力を供給する電源供給装置と、無線タグが再生した音声を生成するスピーカと、を備え、上記写真音声カード生成装置によって生成された写真音声カードを提供する。
【発明の効果】
【０００６】
本発明の写真音声カード生成装置及びこの写真音声カード生成装置によって生成された写真音声カードによれば、写真と音声を記録してより思い出深い記録を残したいという需要者の要求に容易に応えられるという効果がある。
【発明を実施するための最良の形態】
【０００７】
以下、図面を参照して本発明の写真音声カード生成装置及びこの写真音声カード生成装置によって生成された写真音声カードの一実施形態について説明する。図１は本実施形態の写真音声カード生成装置の構成を示す概要図である。
【０００８】
図１に示すように、本実施形態の写真音声カード生成装置１０は、画像を撮像する撮像装置２１と、撮像装置２１が撮像した人物４０などの撮像画像をカードに画像形成するプリント処理部２０と、音声を集音するマイク３１と、  マイク３１が集音した音声を無線タグに書き込む音声処理部３０と、を備える。
【０００９】
図２は、プリント処理部２０の構成を示した概要図である。図２に示すように、プリント処理部２０は、ディジタルカメラなどの撮像画像をディジタルデータの撮像データによって出力する撮像装置２１から撮像データを入力し、撮像画像ごとにオペレータの指示、またはあらかじめ定められた条件に従って色彩やコントラストを調整し、編集された撮像画像を記憶装置である画像一時記憶装置２０２に格納する画像編集部２０１を備える。
【００１０】
また、プリント処理部２０は、画像一時記憶装置２０２から複数の撮像画像を読み出し、印字レイアウトや枠柄を編集するレイアウト編集部２０３と、この編集された撮像画像を粘着シールまたは印字記録媒体に印字する、インクジェットプリンタまたはレーザープリンタなどの画像プリンタと、を備える。レイアウトの編集は、オペレータの指示より行っても、プリント処理部２０が自動的に行ってもよい。
【００１１】
図３は、音声処理部３０の構成を示した概要図である。図３に示すように、音声処理部３０は、マイクが集音した音声をアナログ信号からディジタル信号への変換であるＡＤ変換するＡＤ変換部３０１と、この音声がＡＤ変換されたディジタルデータである音声データを格納する音声一時記憶装置３０２と、格納された音声データを音声一時記憶装置３０２から読みだして音声カード３２に貼付された無線タグに書き込む無線タグリーダライタ３０３と、を備える。
【００１２】
図４は、音声カード３２の構成を示す概要図である。図４に示すように、音声カード３２は、音声を記録、再生する無線タグ３２１と、無線タグ３２１に電力を供給するリチウム電池などの電池や太陽電池などの電源供給装置３２２と、無線タグ３２１が再生した音声を生成するスピーカ３２３と、を備える。
【００１３】
音声カード３２は、その表面にプリント処理部２０が画像形成した粘着シールまたは印字記録媒体である写真シールを貼付するスペースを有する。なお、音声カード３２はその表面に印字媒体を備え、プリント処理部２０がこの印字媒体に直接画像形成するように構成することもできる。
【００１４】
図５は、無線タグリーダライタ３０３と無線タグ３２１の構成を示した概要図である。無線タグとは、データを無線によって通信し、このデータを格納することのできる集積回路を含む装置であり、ＲＦＩＤ（Ｒａｄｉｏ  Ｆｒｅｑｕｅｎｃｙ  Ｉｄｅｎｔｉｆｉｃａｔｉｏｎ）と呼ばれることもある。無線タグリーダライタは、この無線タグにデータを書き込み、又はこの無線タグからデータを読み込む装置である。
【００１５】
図５に示すように、無線タグリーダライタ３０３は、送信信号を変調する変調部５０２と、変調された送信信号を増幅する送信アンプと５０３と、受信信号を増幅する受信アンプ５０５と、増幅された受信信号を復調する復調部５０４と、これらの装置を制御する制御部５０１と、信号を送受信するアンテナ５０６とを備える。
【００１６】
また、図５に示すように、無線タグ３２１は、送信信号を変調する無線タグ変調部５１２と、変調された送信信号を増幅する無線タグ送信アンプ５１３と、受信信号を増幅する無線タグ受信アンプ５１５と、増幅された受信信号を復調する無線タグ復調部５１４と、これらの装置を制御する無線タグ制御部５１１と、信号を送受信する無線タグアンテナ５１６と、データを記憶する無線タグ記憶装置５１７と、無線タグ制御部が無線タグ記憶装置から音声データを読みだしてアナログ変換した音声信号を増幅する音声アンプ５１８と、を備える。なお、電源供給回路は省略してある。
【００１７】
無線タグリーダライタ３０３の制御部５０１は、格納された音声データを音声一時記憶装置から読みだし、無線タグ３２１に書き込み指示とともに送信する。無線タグ３２１の無線タグ制御部５１１は受信した音声データを無線タグ記憶装置５１７に格納する。
【００１８】
音声カード３２のスイッチ３２４がＯＮされると、無線タグ制御部５１１は音声データを無線タグ記憶装置５１７から読みだして、アナログデータである音声信号に変換し、音声アンプ５１８に出力する。この出力された音声信号はスピーカ３２３によって再生される。
【００１９】
以上述べたように、写真音声カード生成装置及びこの写真音声カード生成装置によって生成された写真音声カードは、写真だけでなく音声もまた記録してカードの形にて出力する。このため、写真と音声を記録してより思い出深い記録を残したいという需要者の要求に容易に応えらという効果がある。
【産業上の利用可能性】
【００２０】
本発明の車両における写真音声カード生成装置は、社員証などのＩＤカードの生成にも利用できる。
【図面の簡単な説明】
【００２１】
【図１】本実施形態の写真音声カード生成装置の構成を示す概要図である。
【図２】プリント処理部２０の構成を示した概要図である。
【図３】音声処理部３０の構成を示した概要図である。
【図４】音声カード３２の構成を示す概要図である。
【図５】無線タグリーダライタ３０３と無線タグ３２１の構成を示した概要図である。
【符号の説明】
【００２２】
１０：写真音声カード生成装置、
２０：プリント処理部、
２１：撮像装置、
２２：写真シール、
３０：音声処理部、
３１：マイク、
３２：音声カード、
３２１：無線タグ。
【図１】
2009049615.tif 000003
【図２】
2009049615.tif 000004
【図３】
2009049615.tif 000005
【図４】
2009049615.tif 000006
【図５】
2009049615.tif 000007